(57)【要約】【課題】  芳香発生マスクの製造スピードを向上させ、製造コストを低減させることができ、しかも、芳香発生マスクの芳香の強さ及び持続時間を適宜設定することができる芳香発生マスクの製造方法を提供する。【解決手段】  マスク本体２又は添付するガーゼを構成する材料Ｆの表面に凹版印刷、特にはグラビア印刷によって芳香剤含有液Ｌを付着させ、その後、温風によって芳香剤含有液Ｌを乾燥させる。芳香剤は、芳香オイルであるのが好ましく、さらには、圧力崩壊性マイクロカプセルＭに内包されているのが好ましい。【選択図】  図４
2008017957.tif 000002
【特許請求の範囲】
【請求項１】
マスク本体又は添付するガーゼを構成する材料の表面に凹版印刷によって芳香剤含有液を付着させ、その後、温風によって乾燥させることを特徴とする芳香発生マスクの製造方法。
【請求項２】
前記凹版印刷は、グラビア印刷であることを特徴とする請求項１に記載の芳香発生マスクの製造方法。
【請求項３】
前記芳香剤は、芳香オイルであることを特徴とする請求項１又は２に記載の芳香発生マスクの製造方法。
【請求項４】
前記芳香剤は、圧力崩壊性マイクロカプセルに内包されていることを特徴とする請求項１、２又は３に記載の芳香発生マスクの製造方法。
【発明の詳細な説明】
【技術分野】
【０００１】
本発明は、鼻炎緩和効果、精神安定効果、口臭軽減効果等を得ることができる芳香発生マスクの製造方法に関する。
【背景技術】
【０００２】
近年、汚染大気、ハウスダスト、花粉等によって、喘息、鼻炎等のアレルギー症状を発症する者が多くなってきた。又、社会、家庭等において種々発生する問題によって、ストレス、精神疾患等を訴える者も多くなってきた。さらに、歯槽膿漏、内臓疾患等に起因して発生する口臭を気にする者も多くなってきた。
【０００３】
アレルギー症状、ストレス、精神疾患、口臭等は、根本的には医科、歯科等による治療によって回復、治癒させるものではあるが、中々短期的に回復、治癒できるものではないため、治療中には少しでもその症状を軽減、緩和することが望まれる。
【０００４】
このような要望に応えて、従来、芳香を発生するマスクが種々提案されており、マスクを装着した者が発生する芳香を鼻、口から吸入すると、芳香を発生する芳香剤の種類によって、鼻炎緩和効果、精神安定効果、口臭軽減効果等が得られる。
【０００５】
芳香を発生するマスクとしては、従来、マスク本体２又は添付するガーゼ１１に芳香剤を含浸又は付着させたものが知られている（特許文献１参照）。
そして、この芳香発生マスクを製造する方法として、マスク本体２又はガーゼ１１を構成する材料である不織布等を芳香剤溶液に浸漬したり、不織布等に芳香剤溶液を噴霧していた。
【０００６】
【特許文献１】実開平３−９１３６４号公報
【発明の開示】
【発明が解決しようとする課題】
【０００７】
しかし、不織布等を芳香剤溶液に浸漬する方法は、ある程度長い時間不織布等を浸漬する必要があり、芳香発生マスクの製造スピードを高めることは難しかった。又、不織布等への芳香剤含浸量を調整することが難しく、芳香発生マスクの芳香の強さ及び持続時間を設定することが難しかった。
【０００８】
又、不織布等に芳香剤溶液を噴霧する方法は、芳香剤溶液が飛散して、無駄に消費する量が多く、芳香発生マスクの製造コストを高くする要因となった。又、不織布等への芳香剤付着量を調整することも難しく、芳香発生マスクの芳香の強さ及び持続時間を設定することが難しかった。
【０００９】
本発明は、かかる従来の問題点に鑑みて為されたものであって、その目的とするところは、芳香発生マスクの製造スピードを向上させ、製造コストを低減させることができ、しかも、芳香発生マスクの芳香の強さ及び持続時間を適宜設定することができる芳香発生マスクの製造方法を提供することにある。
【課題を解決するための手段】
【００１０】
上記目的を達成するために、本発明の芳香発生マスクの製造方法は、マスク本体又は添付するガーゼを構成する材料の表面に凹版印刷、特にはグラビア印刷によって芳香剤含有液を付着させ、その後、温風によって乾燥させることを特徴とする。
【００１１】
かかる方法によれば、芳香剤含有液を高速に付着させることができるから、芳香発生マスクの製造スピードを大幅に向上させることができる。
又、芳香剤含有液が飛散して、無駄に消費されることもないから、芳香発生マスクの製造コストを低減することもできる。
さらに、構成材料への芳香剤付着量を調整することも容易であるから、芳香発生マスクの芳香の強さ及び持続時間を適宜設定することができる。
【００１２】
前記芳香剤は、芳香オイルであるのが好ましく、さらには、圧力崩壊性マイクロカプセルに内包されているのが好ましい。
【発明を実施するための最良の形態】
【００１３】
以下、本発明の芳香発生マスクの製造方法について、図面を参照しつつ具体的に説明する。
【００１４】
先ず、本発明の製造方法によって製造される芳香発生マスク１は、図１に示すように、マスク本体２及び耳掛け紐３，３から構成される。
【００１５】
マスク本体２は、図１及び図２に示すように、長方形状を呈するものであって、外層体４，中層体５及び内層体６を順次貼着した三層構造から成る。
【００１６】
外層体４は、ポリプロピレン等の強度の高い合成樹脂から成る不織布を成形したものであって、長辺と平行に複数の襞４ａ，４ａ，・・・を形成してある。
【００１７】
中層体５は、超極細帯電繊維から成るエレクトレットフィルターを成形したものであって、長辺と平行に複数の襞５ａ，５ａ，・・・を形成してある。
又、上端部には、長辺と平行にステンレス鋼等から成る薄肉帯状の形状維持部材７を挿入してあり、左右側端部には、ゴム紐から成る耳掛け紐３，３を固着してある。
【００１８】
内層体６は、人肌に優しい綿等の天然繊維から成る不織布を成形したものであって、長辺と平行に複数の襞６ａ，６ａ，・・・を形成してある。
又、中央部を中心とする適宜領域Ａには、芳香剤を内包した圧力崩壊性マイクロカプセルＭを付着させてある。
尚、本実施形態では、内層体６の適宜領域Ａに圧力崩壊性マイクロカプセルＭを付着させてあるが、内層体６の内面全域に付着させるようにしてもよい。
【００１９】
圧力崩壊性マイクロカプセルＭは、図３に示すように、内包される芯物質Ｃとそれを包囲する被覆材Ｓとから構成され、適宜圧力を負荷することによって、被覆材Ｓが崩壊して芯物質Ｃが露出する、いわゆる感圧型マイクロカプセルである。
圧力崩壊性マイクロカプセルＭは、直径を０．５〜１０μｍ、好ましくは１〜５μｍとしてあり、多核型マイクロカプセルであるのが好ましい。又、被覆材Ｓの膜厚は、０．０１〜１μｍ、特には０．０５〜０．２μｍとしてある。
【００２０】
芯物質Ｃとしては、芳香剤を使用し、グレープフルーツ、オレンジ、ユーカリ、ジャスミン等の芳香を放散する天然芳香オイルを使用する。
被覆材Ｓとしては、芯物質Ｃを完全に封止すると共に、適宜圧力で崩壊する完全閉孔型メラミン樹脂等の圧力崩壊性ポリマーを使用する。
【００２１】
圧力崩壊性マイクロカプセルＭは、天然芳香オイルと圧力崩壊性ポリマーとから、以下のようにして製造することができる。
【００２２】
先ず、水に芳香オイル、乳化剤及び硬化触媒を添加し、十分に攪拌、混合して芳香オイルの分散液を作製する。
次に、その分散液に崩壊性ポリマーを添加して攪拌、混合すれば、硬化触媒の作用によって、芳香オイルの表面に崩壊性ポリマーが硬化、付着し、被覆層を形成するから、芳香オイルを内包した圧力崩壊性マイクロカプセルＭが製造される。
【００２３】
次に、本発明の芳香発生マスクの製造方法を適用して、前記芳香発生マスク１を製造する場合について、図４及び図５を参照して説明する。
【００２４】
前記マスク本体２の内層体６を構成する材料Ｆに前記圧力崩壊性マイクロカプセルＭを付着させる工程は、以下のような印刷工程及び乾燥工程から成る。
【００２５】
印刷工程は、内層体６を構成する材料Ｆの表面に凹版印刷、特にはグラビア印刷によって芳香剤含有液Ｌを付着させる工程であって、この工程には、図４に示すように、貯留容器１１、シリンダー１２、ドクター１３及び押圧ローラ１４等が配設されている。
【００２６】
貯留容器１１には、芳香剤を含有させた芳香剤含有液Ｌを貯留してある。
芳香剤含有液Ｌは、前記圧力崩壊性マイクロカプセルＭを水に混合、分散させた懸濁液であって、圧力崩壊性マイクロカプセルＭの濃度は２〜５０重量％としてある。
【００２７】
シリンダー１２は、図４及び図５に示すように、その表面の所定領域にエッチング、彫刻等によって微小凹部１２ａを形成してある。
微小凹部１２ａは、口径１０〜１００μｍ、深さ１０〜１００μｍ、ピッチ２０〜２００μｍとしてあるが、特には、口径２０〜８０μｍ、深さ２０〜８０μｍ、ピッチ４０〜      １６０μｍとするのが好ましい。
【００２８】
又、シリンダー１２は、その下部を前記貯留容器１１に貯留した芳香剤含有液Ｌに浸漬するように配設してある。
よって、芳香剤含有液Ｌは、微小凹部１２ａ内に充填され、シリンダー１２が回転することによって、上方へと搬送されるようになっている。
【００２９】
ドクター１３は、その先端をシリンダー１２表面に当接してあり、シリンダー１２表面に付着した余分な芳香剤含有液Ｌを掻き取るようになっている。
【００３０】
押圧ローラ１４は、内層体６を構成する材料Ｆを介してシリンダー１２に押圧するように配設してあり、シリンダー１２と押圧ローラ１４とによって材料Ｆを挟持するようになっている。
【００３１】
かかる印刷工程によれば、グラビア印刷によって、芳香剤含有液Ｌを高速に内層体６を構成する材料Ｆに付着させることができるから、芳香発生マスク１の製造スピードを向上させることができる。
又、芳香剤含有液Ｌが飛散して、無駄に消費されることもないから、芳香発生マスク１の製造コストを低減することもできる。
【００３２】
又、図５に示すように、シリンダー１２に形成する微小凹部１２ａの口径Ｈ、深さＤ及びピッチＰを適宜変更すれば、内層体６を構成する材料Ｆへの芳香剤付着量を調整することも容易であるから、芳香発生マスク１の芳香の強さ及び持続時間を適宜設定することができる。
【００３３】
尚、シリンダー１２を複数使用して、内層体６を構成する材料Ｆに複数回芳香剤含有液Ｌを付着させるようにしてもよい。
このようにすれば、内層体６を構成する材料Ｆへの芳香剤付着量を十分に確保しつつ、適切に調整することができる。
【００３４】
乾燥工程は、内層体６を構成する材料Ｆの表面に付着した芳香剤含有液Ｌを乾燥させ、圧力崩壊性マイクロカプセルＭを付着させる工程であって、温風乾燥装置（図示しない）等によって実行される。
ここで、乾燥温度は、５０〜９０℃、特には、６０〜８０℃であることが好ましい。
【００３５】
かかる乾燥工程によれば、圧力崩壊性マイクロカプセルＭは微小粒子であるから、内層体６を構成する材料Ｆの天然繊維間に絡まって、内側中央部を中心とする適宜領域Ｄに圧力崩壊性マイクロカプセルＭが確実に付着する。
【００３６】
本発明によって製造された芳香発生マスク１は、包装袋に収容されて輸送、販売、保管等されている時は、圧力崩壊性マイクロカプセルＭによって芳香剤が完全に封止されているから、芳香剤が徐々に消失して、芳香剤が減少してしまうということはない。
よって、使用時に芳香剤が十分に存在しており、マスク装着後、十分長時間に亘って芳香を発生することができる。
【００３７】
芳香発生マスク１を使用する時には、包装袋から取り出した後、図６に示すように、マスク本体２の左右側端部を両手指で握り、マスク本体２を軽く揉む。
これによって、内層体６に付着している圧力崩壊性マイクロカプセルＭの被覆材Ｓが圧力によって崩壊され、内包された芯物質Ｃである芳香剤が露出するから、以後芳香剤が徐々に消失していき、芳香を発生することとなる。
よって、包装袋から取り出したまま放置しても、マスク本体２を揉まない限り、芳香剤が減少することはないから、使用時に芳香を発生しない事態を防止することができる。
【００３８】
芳香発生マスク１は、外層体４，中層体５及び内層体６を順次貼着した三層構造とし、綿等の天然繊維から成る不織布を成形した薄肉の内層体６に、圧力崩壊性マイクロカプセルＭを付着させるようにしたから、圧力崩壊性マイクロカプセルＭを容易に付着させることができ、製造コストを低減することができる。
【００３９】
又、外層体４をポリプロピレン等の強度の高い合成樹脂から成る不織布を成形して構成したから、マスク本体２を揉む際、揉んだ後にも、十分に強度を確保することができ、マスク本体２を破損することがない。
【００４０】
又、中層体５を超極細帯電繊維から成るエレクトレットフィルターを成形して構成したから、中層体５によって花粉、粉塵、ハウスダスト等を吸着することができ、さらに、上端部に薄肉帯状の形状維持部材７を挿入させたから、芳香発生マスク１の装着時に、形状維持部材８を適宜変形させて鼻に密着させることができ、花粉、粉塵、ハウスダスト等がマスク本体２の内側に侵入することを極力防止することができる。
【００４１】
上記実施形態にあっては、マスク本体を三層構造としたが、マスクの奏する効果は低減するものの、場合によっては、単層構造、二層構造としてもよく、又は三層以上の多層構造としてもよい。
【００４２】
又、芳香発生マスクは、上記実施形態のような形状のマスクに限らず、頂点部を曲面状とした逆円錐形状を呈するマスクに適用することもできる。
【００４３】
上記実施形態にあっては、マスク本体２の内層体６を構成する材料Ｆに圧力崩壊性マイクロカプセルＭを付着させる場合について説明したが、本発明の芳香発生マスクの製造方法は、芳香剤である芳香オイル自体を付着させる場合についても適用することができる。
さらに、芳香剤含有液Ｌは、圧力崩壊性マイクロカプセルＭを水に分散した懸濁液に限らず、乳濁液であってもよく、又、芳香オイル自体を付着させる場合には、その適宜溶液であってもよい。
【００４４】
又、本発明の芳香発生マスクの製造方法は、マスク本体のみならず、これに添付するガーゼに芳香剤を付着させる場合についても適用できること、勿論である。
【図面の簡単な説明】
【００４５】
【図１】本発明によって製造される芳香発生マスクの一実施例の正面図である。
【図２】図１に示す芳香発生マスクの分解背面図である。
【図３】圧力崩壊性マイクロカプセルの概略断面図である。
【図４】本発明の芳香発生マスクの製造方法における印刷工程の説明図である。
【図５】シリンダー表面の拡大断面図である。
【図６】図１に示す芳香発生マスクの使用状態説明図である。
【符号の説明】
【００４６】
１  芳香発生マスク
２  マスク本体
４  外層体
５  中層体
６  内層体
Ｆ  内層体を構成する材料
Ｌ  芳香剤含有液
Ｍ  圧力崩壊性マイクロカプセル
Ｃ  芯物質
Ｓ  被覆材
【図１】
2008017957.tif 000003
【図２】
2008017957.tif 000004
【図３】
2008017957.tif 000005
【図４】
2008017957.tif 000006
【図５】
2008017957.tif 000007
【図６】
2008017957.tif 000008